(57)【特許請求の範囲】
【請求項１】
協調セル決定方法であって、
第１ネットワークデバイスによって、該第１ネットワークデバイスが隣接する第２ネットワークデバイスによってカバーされる複数のセル内で動作不能状態にあるセルを決定することと、
前記第１ネットワークデバイスによって、前記動作不能状態にあるセルを協調セルとして決定することと
を有し、
第１ネットワークデバイスによって、第２ネットワークデバイスによってカバーされる複数のセル内で動作不能状態にあるセルを決定することは、
前記第１ネットワークデバイスによって、第１端末によって送られた測定リポートに基づき、前記第２ネットワークデバイスによってカバーされる前記複数のセルから第１セルを決定し、前記測定リポートは、前記第２ネットワークデバイスによってカバーされる前記複数のセルの中で使用可能状態にあるセルを示し、前記第１セルは、前記使用可能状態にあるセルである、ことと、
前記第２ネットワークデバイスによってカバーされる前記複数のセルに含まれ、前記第１セルと同じ周波数帯域にある第２セルが前記使用可能状態にないと、前記第１ネットワークデバイスが前記測定リポートに基づき決定する場合に、前記第１ネットワークデバイスによって、前記第２セルを前記動作不能状態にあるセルとして決定することと
を有する、
方法。
【請求項２】
第１ネットワークデバイスによって、第２ネットワークデバイスによってカバーされる複数のセル内で動作不能状態にあるセルを決定することは、
前記第１ネットワークデバイスによって、前記第２ネットワークデバイスによってカバーされる各セルのステータスを含む隣接関係テーブルに基づき、前記第２ネットワークデバイスによってカバーされる前記複数のセルの中で前記動作不能状態にあるセルを決定することを有する、
請求項１に記載の方法。
【請求項３】
前記第１ネットワークデバイスによって、前記動作不能状態にあるセルを協調セルとして決定した後に、前記方法は、
前記第１ネットワークデバイスによって、ダウンリンク協調を要求する第２端末と、アップリンク協調を要求する第３端末とを決定し、前記第２端末は、第１閾値に満たないダウンリンク信号強度の端末であり、前記第３端末は、第２閾値に満たないアップリンク信号強度の端末である、ことと、
前記第１ネットワークデバイスによって、該第１ネットワークデバイスによってカバーされるセル及び前記協調セルを使用することによってダウンリンク信号を前記第２端末へ連帯的に送信することと、
前記第１ネットワークデバイスによってカバーされる前記セル及び前記協調セルを使用することによって、前記第３端末によって送られたアップリンク信号を連帯的に受信することと
を更に有する、
請求項１又は２に記載の方法。
【請求項４】
前記第１ネットワークデバイスによって、前記動作不能状態にあるセルを協調セルとして決定した後に、前記方法は、
前記第１ネットワークデバイスによって、前記第２ネットワークデバイスによって送られたＮ個の基準信号受信電力（ＲＳＲＰ）値を受信し、該Ｎ個のＲＳＲＰ値は、前記第２ネットワークデバイスが前記協調セル内のＮ個の端末を測定した後に取得され、Ｎは０よりも大きい、ことと、
前記Ｎ個のＲＳＲＰ値がＲＳＲＰ閾値よりも大きいＭ個のＲＳＲＰ値を有すると前記第１ネットワークデバイスが決定する場合に、前記第１ネットワークデバイスによって、前記協調セルを有効にするように前記第２ネットワークデバイスに指示するために使用される指示情報を前記第２ネットワークデバイスへ送信し、Ｍは、Ｎ以下であり且つ０よりも大きい、ことと
を更に有する、
請求項１乃至３のうちいずれか一項に記載の方法。
【請求項５】
前記第１ネットワークデバイスによって、前記動作不能状態にあるセルを協調セルとして決定した後に、前記方法は、
前記第１ネットワークデバイスによって第４端末の経路損失差を決定し、該経路損失差は、前記第４端末が前記第１ネットワークデバイスにアクセスするセルである第３セルから前記協調セルへの前記第４端末の経路損失差である、ことと、
前記第１ネットワークデバイスによって、前記経路損失差に基づき、前記第４端末によって受信される第１セルのダウンリンク信号強度を決定し、前記第１セルは、前記第２ネットワークデバイスによってカバーされる前記複数のセルの中で使用可能状態にあるセルである、ことと、
前記第４端末によって受信される前記第１セルの前記ダウンリンク信号強度が信号強度閾値よりも大きいと前記第１ネットワークデバイスが決定する場合に、前記第１ネットワークデバイスによって、前記第４端末が前記第１セルへハンドオーバされる必要があると決定することと
を更に有する、
請求項１乃至４のうちいずれか一項に記載の方法。
【請求項６】
ネットワークデバイスであって、
前記ネットワークデバイスが隣接する第２ネットワークデバイスによってカバーされる複数のセル内で動作不能状態にあるセルを決定するよう構成されるプロセッサを有し、
前記プロセッサは、前記動作不能状態にあるセルを協調セルとして決定するよう構成され、
前記プロセッサは、
第１端末によって送られた測定リポートに基づき、前記第２ネットワークデバイスによってカバーされる前記複数のセルから第１セルを決定し、前記測定リポートは、前記第２ネットワークデバイスによってカバーされる前記複数のセルの中で使用可能状態にあるセルを示し、前記第１セルは、前記使用可能状態にあるセルであり、
前記第２ネットワークデバイスによってカバーされる前記複数のセルに含まれ、前記第１セルと同じ周波数帯域にある第２セルが前記使用可能状態にないと、前記測定リポートに基づき決定される場合に、前記第２セルを前記動作不能状態にあるセルとして決定する
よう構成される、
ネットワークデバイス。
【請求項７】
前記プロセッサは、
前記第２ネットワークデバイスによってカバーされる各セルのステータスを含む隣接関係テーブルに基づき、前記第２ネットワークデバイスによってカバーされる前記複数のセルの中で前記動作不能状態にあるセルを決定するよう構成される、
請求項６に記載のネットワークデバイス。
【請求項８】
前記ネットワークデバイスは、トランシーバを更に有し、
前記プロセッサは、ダウンリンク協調を要求する第２端末と、アップリンク協調を要求する第３端末とを決定するよう更に構成され、前記第２端末は、第１閾値に満たないダウンリンク信号強度の端末であり、前記第３端末は、第２閾値に満たないアップリンク信号強度の端末であり、
前記トランシーバは、
前記ネットワークデバイスによってカバーされるセル及び前記協調セルを使用することによってダウンリンク信号を前記第２端末へ連帯的に送信し、
前記ネットワークデバイスによってカバーされる前記セル及び前記協調セルを使用することによって、前記第３端末によって送られたアップリンク信号を連帯的に受信する
よう構成される、
請求項６又は７に記載のネットワークデバイス。
【請求項９】
前記ネットワークデバイスは、トランシーバを更に有し、
前記トランシーバは、前記第２ネットワークデバイスによって送られたＮ個の基準信号受信電力（ＲＳＲＰ）値を受信するよう構成され、該Ｎ個のＲＳＲＰ値は、前記第２ネットワークデバイスが前記協調セル内のＮ個の端末を測定した後に取得され、Ｎは０よりも大きく、
前記プロセッサは、前記Ｎ個のＲＳＲＰ値がＲＳＲＰ閾値よりも大きいＭ個のＲＳＲＰ値を有すると決定される場合に、前記トランシーバを使用することによって、前記協調セルを有効にするように前記第２ネットワークデバイスに指示するために使用される指示情報を前記第２ネットワークデバイスへ送信するよう構成され、Ｍは、Ｎ以下であり且つ０よりも大きい、
請求項６乃至８のうちいずれか一項に記載のネットワークデバイス。
【請求項１０】
前記プロセッサは、
第４端末の経路損失差を決定し、該経路損失差は、前記第４端末が前記ネットワークデバイスにアクセスするセルである第３セルから前記協調セルへの前記第４端末の経路損失差であり、
前記経路損失差に基づき、前記第４端末によって受信される第１セルのダウンリンク信号強度を決定し、前記第１セルは、前記第２ネットワークデバイスによってカバーされる前記複数のセルの中で使用可能状態にあるセルであり、
前記第４端末によって受信される前記第１セルの前記ダウンリンク信号強度が信号強度閾値よりも大きいと決定される場合に、前記第４端末が前記第１セルへハンドオーバされる必要があると決定する
よう更に構成される、
請求項６乃至９のうちいずれか一項に記載のネットワークデバイス。
【請求項１１】
実行可能命令を記憶している非一時的な記憶媒体と結合される少なくとも１つのプロセッサを有し、
前記実行可能命令は、前記少なくとも１つのプロセッサによって実行されるときに、該少なくとも１つのプロセッサに、請求項１乃至５のうちいずれか一項に記載の方法を実行させる、
装置。
【請求項１２】
プログラムコードを記憶するよう構成され、該プログラムコードは、請求項１乃至５のうちいずれか一項に記載の方法を実行する命令を含む、コンピュータ可読媒体。
【発明の詳細な説明】
【技術分野】
【０００１】
本願は、無線通信技術の分野に、特に、協調セル決定方法及びネットワークデバイスに関係がある。
【背景技術】
【０００２】
国際電気通信連合は、次世代の移動体通信システムの性能に対して極めて高い要件を課しており、例えば、最大システム伝送帯域幅は、１００ＭＨｚに達することを要求されており、アップリンクデータ伝送及びダウンリンクデータ伝送のピークレートは、夫々１Ｇｂｐｓ及び５００Ｍｂｐｓに達することを要求されており、更には、システム平均スペクトル効率、特にエッジスペクトル効率に対して高い要件を課している。新しいシステムの要件を満たすべく、第３世代パートナーシップ・プロジェクト（3rd  Generation  Partnership  Project，３ＧＰＰ）は、次世代の移動体セルラー通信システム、すなわち、ロング・ターム・エボリューション・アドバンスド（Long  Term  Evolution-Advanced，ＬＴＥ−Ａ）システムにおいて協調マルチポイント（Coordinated  Multiple  Points，ＣｏＭＰ）伝送技術を使用してシステム性能を改善すること提案している。協調マルチポイント伝送技術は、地理的に離れた複数の伝送ポイントの間の協調を意味する。一般に、複数の伝送ポイントは、異なるセルの基地局である。協調マルチポイント伝送技術には、ダウンリンク協調マルチポイント伝送及びアップリンク協調マルチポイント伝送が含まれる。
【０００３】
ダウンリンク協調マルチポイント伝送の技術的解決法は、主に２つのタイプ、すなわち、共同スケジューリング及び共同伝送、に分類される。共同スケジューリングは、相互干渉を回避するよう、セル間の時間リソース、周波数リソース、及び空間リソースの協調を通じて、相互に直交するリソースを異なる端末へ割り当てることを指す。セル間干渉は、セル端での端末の性能に対する主な制約であり、セル間干渉は、セル端での端末の性能が改善され得るように、共同スケジューリングを通じて低減され得る。共同伝送は、端末の受信信号の利得を増大させるよう、複数のセルを同時に使用することによってデータを端末へ送ることを指す。
【０００４】
アップリンク協調マルチポイント伝送は、複数のセルが１つの端末によって送られたデータを同時に受信し、次いで、共同処理が、端末データの復調品質を改善するよう、各セルによって受信されたデータに対して実行されることを意味する。この方法は、より多くのアンテナが端末によって送られたデータを受信するために同じセル内で使用されることと同様であり、信号結合利得及び干渉抑制利得の両方が得られる。
【０００５】
協調マルチポイント伝送技術では、端末が位置しているセルとともに端末へデータを連帯的に送信するか、あるいは、端末が位置しているセルとともに端末からデータを連帯的に受信するセルは、協調セル又は協働セルと一般に呼ばれる。記載を簡単にするために、セルは、以下で協調セルと呼ばれる。ネットワークデバイスにアクセスする端末の場合に、ネットワークデバイスによって選択される協調セルは、端末が位置しているセルの隣接セルからランダムに選択される。端末が位置しているセル、及びネットワークデバイスによって選択される協調セルは、セル基準信号（Cell  Reference  Signal，ＣＲＳ）の衝突及び物理ダウンリンク制御チャネル（Physical  Downlink  Control  Channel，ＰＤＣＣＨ）シンボルの量の不一致を有しており、端末が比較的高い利得を得ることを困難にする、という問題がある。
【０００６】
従って、ネットワークデバイスにアクセスする端末が比較的高い利得を得るようにネットワークデバイスが協調セルを決定する方法は、解決されるべき喫緊の課題である。
【発明の概要】
【０００７】
本願の実施形態は、ネットワークデバイスによって決定される協調セルとネットワークデバイスのセルとの間の整合を実装するように、協調セル決定方法及びネットワークデバイスを提供することを目的としており、それにより、決定された協調セルを使用することによってデータ伝送を行うときに、ネットワークデバイスにアクセスする端末は比較的高い利得を取得し、それによって、システム効率は改善される。
【０００８】
本願の実施形態は、協調セル決定方法であって、
第１ネットワークデバイスによって、該第１ネットワークデバイスが隣接する第２ネットワークデバイスによってカバーされる複数のセル内で動作不能状態にあるセルを決定することと、
前記第１ネットワークデバイスによって、前記動作不能状態にあるセルを協調セルとして決定することと
を含む方法を更に提供する。
【０００９】
当該方法によれば、第１ネットワークデバイスによって決定される協調セルは、動作不能状態にあるセルである。動作不能状態にあるセルは基準信号又はシステム情報などのブロードキャストメッセージを送信しないので、動作不能状態にあるセルは、基準信号などのブロードキャストメッセージを送信する第１ネットワークデバイスのセルと衝突しない。従って、協調伝送が第１ネットワークデバイスのセル内の端末に対して行われるときに、端末は、より高い利得を得ることができる。
【００１０】
任意に、第１ネットワークデバイスによって、第２ネットワークデバイスによってカバーされる複数のセル内で動作不能状態にあるセルを決定することは、
前記第１ネットワークデバイスによって、第１端末によって送られた測定リポートに基づき、前記第２ネットワークデバイスによってカバーされる前記複数のセルから第１セルを決定し、前記測定リポートは、前記第２ネットワークデバイスによってカバーされる前記複数のセルの中で使用可能状態にあるセルを示し、前記第１セルは、前記使用可能状態にあるセルである、ことと、
前記第２ネットワークデバイスによってカバーされる前記複数のセルに含まれ、前記第１セルと同じ周波数帯域にある第２セルが前記使用可能状態にないと、前記第１ネットワークデバイスが前記測定リポートに基づき決定する場合に、前記第１ネットワークデバイスによって、前記第２セルを前記動作不能状態にあるセルとして決定することと
を含む。
【００１１】
当該方法によれば、第１ネットワークデバイスは、測定リポートを使用することによって第２ネットワークデバイスによってカバーされる各セルのステータスを決定することができ、それにより、第２ネットワークデバイスによってカバーされる複数のセルの中で動作不能状態にあるセルは、リアルタイムで決定され得る。
【００１２】
任意に、第１ネットワークデバイスによって、第２ネットワークデバイスによってカバーされる複数のセル内で動作不能状態にあるセルを決定することは、
前記第１ネットワークデバイスによって、前記第２ネットワークデバイスによってカバーされる各セルのステータスを含む隣接関係テーブルに基づき、前記第２ネットワークデバイスによってカバーされる前記複数のセルの中で前記動作不能状態にあるセルを決定することを含む。
【００１３】
当該方法によれば、第１ネットワークデバイスは、隣接関係テーブルを使用することによって第２ネットワークデバイスによってカバーされる各セルのステータスを決定することができ、それにより、第２ネットワークデバイスによってカバーされる複数のセルの中で動作不能状態にあるセルは、より正確に決定され得る。
【００１４】
任意に、前記第１ネットワークデバイスによって、前記動作不能状態にあるセルを協調セルとして決定した後に、当該方法は、
前記第１ネットワークデバイスによって、ダウンリンク協調を要求する第２端末と、アップリンク協調を要求する第３端末とを決定し、前記第２端末は、第１閾値に満たないダウンリンク信号強度の端末であり、前記第３端末は、第２閾値に満たないアップリンク信号強度の端末である、ことと、
前記第１ネットワークデバイスによって、該第１ネットワークデバイスによってカバーされるセル及び前記協調セルを使用することによってダウンリンク信号を前記第２端末へ連帯的に送信することと、
前記第１ネットワークデバイスによってカバーされる前記セル及び前記協調セルを使用することによって、前記第３端末によって送られたアップリンク信号を連帯的に受信することと
を更に含む。
【００１５】
当該方法によれば、第１ネットワークデバイスは、協調セルを使用することによって、ダウンリンク信号強度が第１閾値に満たない第２端末へダウンリンク信号を連帯的に送信して、第２端末によって受信されるダウンリンク信号の利得が増大し、第２端末のネットワーク品質が改善されるようにする。相応して、第１ネットワークデバイスは、協調セルを使用することによって、アップリンク信号強度が第２閾値に満たない第３端末によって送られたアップリンク信号を連帯的に受信して、第３端末によって送信されるアップリンク信号の利得が増大し、第３端末のネットワーク品質が改善されるようにする。
【００１６】
任意に、前記第１ネットワークデバイスによって、前記動作不能状態にあるセルを協調セルとして決定した後に、前記方法は、
前記第１ネットワークデバイスによって、前記第２ネットワークデバイスによって送られたＮ個の基準信号受信電力（ＲＳＲＰ）値を受信し、該Ｎ個のＲＳＲＰ値は、前記第２ネットワークデバイスが前記協調セル内のＮ個の端末を測定した後に取得され、Ｎは０よりも大きい、ことと、
前記Ｎ個のＲＳＲＰ値がＲＳＲＰ閾値よりも大きいＭ個のＲＳＲＰ値を有すると前記第１ネットワークデバイスが決定する場合に、前記第１ネットワークデバイスによって、前記協調セルを有効にするように前記第２ネットワークデバイスに指示するために使用される指示情報を前記第２ネットワークデバイスへ送信し、Ｍは、Ｎ以下であり且つ０よりも大きい、ことと
を更に含む。
【００１７】
当該方法によれば、第１ネットワークデバイスは、協調セルを有効にするに第２ネットワークデバイスに指示すべきかどうかを決定するために、協調セル内の端末を測定し、それによって、第２ネットワークデバイスによってカバーされるセル内の端末によって実行される頻繁な異周波数隣接セル測定によって引き起こされるギャップオーバヘッドを回避する。
【００１８】
任意に、前記第１ネットワークデバイスによって、前記動作不能状態にあるセルを協調セルとして決定した後に、前記方法は、
前記第１ネットワークデバイスによって第４端末の経路損失差を決定し、該経路損失差は、前記第４端末が前記第１ネットワークデバイスにアクセスするセルである第３セルから前記協調セルへの前記第４端末の経路損失差である、ことと、
前記第１ネットワークデバイスによって、前記経路損失差に基づき、前記第４端末によって受信される前記第１セルのダウンリンク信号強度を決定することと、
前記第４端末によって受信される前記第１セルの前記ダウンリンク信号強度が信号強度閾値よりも大きいと前記第１ネットワークデバイスが決定する場合に、前記第１ネットワークデバイスによって、前記第４端末が前記第１セルへハンドオーバされる必要があると決定することと
を更に含む。
【００１９】
本願の実施形態は、第１の態様で提供される協調セル決定方法のうちのいずれか１つを実装し得るネットワークデバイスを提供する。
【００２０】
可能な設計において、ネットワークデバイスは複数の機能モジュールを含み、例えば、上記の、提供される協調セル決定方法のうちのいずれか１つを実装するよう構成される処理ユニット及びトランシーバユニットを含み、それにより、決定された協調セルは動作不能状態にあるセルである。動作不能状態にあるセルは基準信号又はシステム情報などのブロードキャストメッセージを送信しないので、動作不能状態にあるセルは、基準信号などのブロードキャストメッセージを送信する第１ネットワークデバイスのセルと衝突しない。従って、協調伝送が第１ネットワークデバイスのセル内の端末に対して行われるときに、端末は、より高い利得を得ることができる。
【００２１】
本願の実施形態はネットワークデバイスを提供し、ネットワークデバイスは、
前記ネットワークデバイスが隣接する第２ネットワークデバイスによってカバーされる複数のセル内で動作不能状態にあるセルを決定するよう構成されるプロセッサを含み、
前記プロセッサは、前記動作不能状態にあるセルを協調セルとして決定するよう構成される。
【００２２】
任意に、前記プロセッサは、
第１端末によって送られた測定リポートに基づき、前記第２ネットワークデバイスによってカバーされる前記複数のセルから第１セルを決定し、前記測定リポートは、前記第２ネットワークデバイスによってカバーされる前記複数のセルの中で使用可能状態にあるセルを示し、前記第１セルは、前記使用可能状態にあるセルであり、
前記第２ネットワークデバイスによってカバーされる前記複数のセルに含まれ、前記第１セルと同じ周波数帯域にある第２セルが前記使用可能状態にないと、前記測定リポートに基づき決定される場合に、前記第２セルを前記動作不能状態にあるセルとして決定する
よう構成される。
【００２３】
任意に、前記プロセッサは、
前記第２ネットワークデバイスによってカバーされる各セルのステータスを含む隣接関係テーブルに基づき、前記第２ネットワークデバイスによってカバーされる前記複数のセルの中で前記動作不能状態にあるセルを決定するよう構成される。
【００２４】
任意に、前記ネットワークデバイスは、トランシーバを更に含み、
前記プロセッサは、ダウンリンク協調を要求する第２端末と、アップリンク協調を要求する第３端末とを決定するよう更に構成され、前記第２端末は、第１閾値に満たないダウンリンク信号強度の端末であり、前記第３端末は、第２閾値に満たないアップリンク信号強度の端末であり、
前記トランシーバは、
前記ネットワークデバイスによってカバーされるセル及び前記協調セルを使用することによってダウンリンク信号を前記第２端末へ連帯的に送信し、
前記ネットワークデバイスによってカバーされる前記セル及び前記協調セルを使用することによって、前記第３端末によって送られたアップリンク信号を連帯的に受信する
よう構成される。
【００２５】
任意に、前記ネットワークデバイスは、トランシーバを更に含み、
前記トランシーバは、前記第２ネットワークデバイスによって送られたＮ個の基準信号受信電力（ＲＳＲＰ）値を受信するよう構成され、該Ｎ個のＲＳＲＰ値は、前記第２ネットワークデバイスが前記協調セル内のＮ個の端末を測定した後に取得され、Ｎは０よりも大きく、
前記プロセッサは、前記Ｎ個のＲＳＲＰ値がＲＳＲＰ閾値よりも大きいＭ個のＲＳＲＰ値を含むと決定される場合に、前記トランシーバを使用することによって、前記協調セルを有効にするように前記第２ネットワークデバイスに指示するために使用される指示情報を前記第２ネットワークデバイスへ送信するよう構成され、Ｍは、Ｎ以下であり且つ０よりも大きい。
【００２６】
任意に、前記プロセッサは、
第４端末の経路損失差を決定し、該経路損失差は、前記第４端末が前記ネットワークデバイスにアクセスするセルである第３セルから前記協調セルへの前記第４端末の経路損失差であり、
前記経路損失差に基づき、前記第４端末によって受信される前記第１セルのダウンリンク信号強度を決定し、
前記第４端末によって受信される前記第１セルの前記ダウンリンク信号強度が信号強度閾値よりも大きいと決定される場合に、前記第４端末が前記第１セルへハンドオーバされる必要があると決定する
よう更に構成される。
【００２７】
本願の実施形態では、コンピュータ記憶媒体が更に提供される。記憶媒体はソフトウェアプログラムを記憶する。１つ以上のプロセッサによって読み出されて実行されるとき、上記の設計のうちのいずれか１つで提供される協調セル決定方法が実装される。
【００２８】
本願の実施形態は通信システムを更に提供する。システムは、上記の設計のうちのいずれか１つで提供されるネットワークデバイスを含む。任意に、システムは、本願の実施形態で提供される解決法においてネットワークデバイスと相互作用する他のデバイスを更に含んでもよい。
【００２９】
本願の実施形態は、命令を含むコンピュータプログラム製品を更に提供する。コンピュータプログラム製品がコンピュータで実行されるときに、コンピュータは、上記の態様に従う方法を実行する。
【図面の簡単な説明】
【００３０】
【図１】本願の実施形態が提供される適用シナリオの概略図である。
【図２】本願の実施形態が提供される適用シナリオの概略図である。
【図３】本願の実施形態に従う協調セル決定方法の略フローチャートである。
【図４】先行技術における共同カバレッジセルの概略図である。
【図５】本願の実施形態に従うセルの概略図である。
【図６】本願の実施形態に従う協調セルの概略図である。
【図７】本願の実施形態に従うネットワークデバイスの略構造図である。
【図８】本願の実施形態に従うネットワークデバイスの略構造図である。
【発明を実施するための形態】
【００３１】
以下は、添付の図面を参照して本願の実施形態について詳細に更に記載する。
【００３２】
本願の実施形態は、ニュー・ラジオ（New  Radio，ＮＲ）システム、グローバル・システム・フォー・モバイル・コミュニケーションズ（Global  System  for  Mobile  Communications，ＧＳＭ）、符号分割多重アクセス（Code  Division  Multiple  Access，ＣＤＭＡ）システム、広帯域符号分割多重アクセス（Wideband  Code  Division  Multiple  Access，ＷＣＤＭＡ）システム、汎用パケット無線サービス（General  Packet  Radio  Service，ＧＰＲＳ）システム、ロング・ターム・エボリューション（Long  Term  Evolution，ＬＴＥ）システム、ロング・ターム・エボリューション・アドバンスド（Long  Term  Evolution-Advanced，ＬＴＥ−Ａ）システム、ユニバーサル・モバイル・テレコミュニケーションズ・システム（Universal  Mobile  Telecommunications  System，ＵＭＴＳ）、進化型ロング・ターム・エボリューション（evolved  Long  Term  Evolution，ｅＬＴＥ）システム、５Ｇシステム及び他の移動体通信システムなどの様々な通信システムに適用されてよい。
【００３３】
以下は、当業者がより良い理解を有するのを助けるよう、本願中のいくつかの用語について説明する。
【００３４】
（１）端末は、ユーザ装置（User  Equipment，ＵＥ）とも呼ばれ、音声及び／又はデータ接続性をユーザに提供するデバイスであり、例えば、無線接続機能を具備する手持ち式デバイス又は車載型デバイスである。例えば、一般的な端末には、携帯電話機、タブレットコンピュータ、ノートブックコンピュータ、パームトップコンピュータ、モバイル・インターネット・デバイス（mobile  internet  device，ＭＩＤ）、並びにスマートウォッチ、スマートバンド、及びペドメータなどの装着型デバイスがある。
【００３５】
（２）ネットワークデバイスは一般的な基地局（例えば、Ｎｏｄｅ−Ｂ又はｅＮＢ）であってよく、ニュー・ラジオ・コントローラ（New  Radio  Controller，ＮＲコントローラ）であってよく、５ＧシステムにおけるｇＮｏｄｅ  Ｂ（ｇＮＢ）であってよく、中央集権型ネットワーク要素（Centralized  Unit）であってよく、ニュー・ラジオ基地局であってよく、無線リモートモジュールであってよく、マクロ基地局であってよく、ミクロ基地局であってよく、中継（relay）ノードであってよく、分散型ネットワーク要素（Distributed  Unit）であってよく、受信ポイント（Reception  Point，ＴＲＰ）若しくは送信ポイント（Transmission  Point，ＴＰ）、又はあらゆる他の無線アクセスデバイスであってよい。これは、本願の実施形態で制限されない。
【００３６】
（３）「複数の〜」は、２以上を意味する。語「及び／又は」は、関連する事物について説明する関連関係を記載し、３つの関係が存在する可能性があることを表す。例えば、Ａ及び／又はＢは、次の３つの場合、Ａのみが存在する、Ａ及びＢの両方が存在する、並びにＢのみが存在する、を表し得る。文字「／」は、一般に、関連する事物の間の“論理和”関係を示す。その上、語「第１」、「第２」、「第３」、などが、様々なメッセージ、要求、及び端末を記載するために本願の実施形態で使用されることがあるが、これらのメッセージ、要求、及び端末は、これらの語、例えば、第１端末、第２端末、などに限られないことが理解されるべきである。これらの語は、メッセージ、要求、及び端末を互いに区別するためにのみ使用され、メッセージ、要求、及びメッセージを分類する意図はない。
【００３７】
本願の実施形態は、マクロ基地局間の協調セルを決定することに適用されてよい。例えば、図１に示されるように、図１では、端末１０３及び端末１０４が、マクロ基地局１０１のセルに位置しており、端末１０５が、マクロ基地局１０２のセルに位置している。協調セルを決定するときに、マクロ基地局１０１は、マクロ基地局１０２のセルを協調セルとして決定してよく、且つ、協調セルを決定するときに、マクロ基地局１０２は、マクロ基地局１０１のセルを協調セルとして決定してよい。本願の実施形態は、マクロ基地局のカバレッジエリアがミクロ基地局のそれを含むシナリオに更に適用されてもよい。例えば、図２に示されるように、図２では、マクロ基地局２１０の単一のカバレッジエリアが、ミクロ基地局２０２及びミクロ基地局２０３のそれを含む。協調セルを決定するときに、ミクロ基地局２０２は、ミクロ基地局２０３のセルを協調セルとして決定してよく、且つ、協調セルを決定するときに、ミクロ基地局２０３は、ミクロ基地局２０２のセルを協調セルとして決定してよい。
【００３８】
上記の記載を参照して、図３は、本願の実施形態に従う協調セル決定方法の略フローチャートである。
【００３９】
図３を参照すると、方法は、次のステップを含む。
【００４０】
ステップ３０１：第１ネットワークデバイスが第２ネットワークデバイスに隣接する場合に、第１ネットワークデバイスは、第２ネットワークデバイスによってカバーされる複数のセルの中で動作不能状態にあるセルを決定する。
【００４１】
本願のこの実施形態において、各ネットワークデバイスの無線リモートユニット（Radio  Remote  Unit，ＲＲＵ）は、異なる周波数帯域にある複数のキャリアで信号を送信及び受信する能力を有している。そのため、各ネットワークデバイスは、異なる周波数帯域にあるキャリアにより構成される複数のセルを同時に確立し得る。１つの周波数帯域には複数の周波数チャネル番号が存在することが留意されるべきである。本願のこの実施形態において、各ネットワークデバイスは、同じ周波数帯域における異なる周波数チャネル番号に対応するキャリアにより構成される複数のセルを同時に確立し得る。
【００４２】
ネットワークデバイス内の２つのセルが、同じ周波数帯域における異なる周波数チャネル番号に対応するキャリアにより構成される場合には、その２つのセルは同じ単一のカバレッジエリアを有し、すなわち、２つのセルは共同カバレッジセルに属する。例えば、図４に示されるように、図４では、ネットワークデバイス４０１のカバレッジエリアがセル４０２及びセル４０３を含む。セル４０２及びセル４０２に対して構成されるキャリアは、同じ周波数帯域における異なる周波数チャネル番号に対応するキャリアであり、セル４０２及び４０３は同じ単一のカバレッジエリアを有している。
【００４３】
本願のこの実施形態において、セルが動作不能状態にある場合には、ネットワークデバイスは、そのセルに対して構成されるキャリア上でエンティティセルを確立しない。換言すれば、ネットワークデバイスは、そのセルにおいてシステムメッセージ、同期チャネル、ダウンリンクパイロット信号などの情報を送信しない。それにより、端末はセルを検出することができない。しかし、セルは、ユーザ計測、受信、及び送信において帯域内セルを支援するために、ネットワークデバイスのＲＲＵの送信及び受信機能を使用することができる。
【００４４】
その上、本願のこの実施形態において、第１ネットワークデバイスが第２ネットワークデバイスに隣接することは、第１ネットワークデバイスが第２ネットワークデバイスに地理的に隣接することを意味し、第１ネットワークデバイスのセル及び第２ネットワークデバイスのセルは、重なり合ったカバレッジエリアを有する可能性があることが留意されるべきである。例えば、図１を参照して、ネットワークデバイス１０１はネットワークデバイス１０２と隣接する。
【００４５】
ステップ３０２：第１ネットワークデバイスは、動作不能状態にあるセルを協調セルとして決定する。
【００４６】
ステップ３０１で、第１ネットワークデバイスは、複数の方法において、第２ネットワークデバイスによってカバーされる複数のセルの中で動作不能状態にあるセルを決定し得る。
【００４７】
第１の可能な実施では、第１ネットワークデバイスは、第１端末によって送られた測定リポートに基づき、第２ネットワークデバイスによってカバーされる複数のセルの中で動作不能状態にあるセルを決定する。
【００４８】
第１端末によって送られた測定リポートは、第２ネットワークデバイスによってカバーされる複数のセルの中で使用可能状態にあるセルを示すので、第１セルが使用可能状態にあるセルである場合に、第１ネットワークデバイスは、測定リポートに基づき、第２ネットワークデバイスによってカバーされる複数のセルの中から第１セルを決定し得る。
【００４９】
第２ネットワークデバイスによってカバーされる複数のセルに含まれ、第１セルと同じ周波数帯域にある第２セルが使用可能状態にないと、第１ネットワークデバイスが測定リポートに基づき決定する場合には、第２ネットワークデバイスは第２エンティティセルを確立しないと決定され得、第１端末は第２セルを測定することができず、それにより，第２セルは、動作不能状態にあるセルとして決定され得る。
【００５０】
例えば、図５は、本願の実施形態に従うセルの概略図である。図５では、ネットワークデバイス５０１のカバレッジエリアがセル５０４及びセル５０５を含む。セル５０４に対して構成されるキャリア及びセル５０５に対して構成されるキャリアは、同じ周波数帯域における異なる周波数チャネル番号に対応するキャリアであり、セル５０４は動作不能状態にあり、セル５０５は使用可能状態にある。すなわち、端末はセル５０５を検出することができ、セル５０４を検出することができない。ネットワークデバイス５０１のセルを測定した後に、端末５０３は測定リポートを生成し、生成された測定リポートは、セル５０５が使用可能状態にあることを示す。端末５０３は、測定リポートをネットワークデバイス５０２へ送り、ネットワークデバイス５０２は、測定リポートに基づき、セル５０５が使用可能状態にあると決定して、セル５０５のキャリアと同じ周波数帯域にあるキャリアを有するセル５０４が動作不能状態にあると更に決定することができ、それにより、セル５０４は協調セルとして使用され得る。
【００５１】
第２の可能な実施では、第１ネットワークデバイスは、隣接関係テーブルに基づき、第２ネットワークデバイスによってカバーされる複数のセルの中で動作不能状態にあるセルを決定してよい。隣接関係テーブルは、第２ネットワークデバイスによってカバーされる各セルのステータスを含むので、第１ネットワークデバイスは、第２ネットワークデバイスによってカバーされる各セルのステータスを容易に決定することができる。
【００５２】
ステップ３０２で、協調セルを決定した後に、第１ネットワークデバイスは、ダウンリンク協調を要求する第２端末と、アップリンク協調を要求する第３端末とを更に決定してもよい。
【００５３】
第１ネットワークデバイスは、任意の１つの端末を、ダウンリンク協調を要求する第２端末として決定してよく、あるいは、第１ネットワークデバイスは、任意の１つの端末を、アップリンク協調を要求する第３端末として決定してよい。
【００５４】
任意に、第１ネットワークデバイスはまた、第１閾値に満たないダウンリンク信号強度の端末を、ダウンリンク協調を要求する第２端末として決定してもよく、且つ、第１ネットワークデバイスはまた、第２閾値に満たないアップリンク信号強度の端末を、アップリンク協調を要求する第３端末として決定してもよい。
【００５５】
例えば、端末のダウンリンク基準信号受信電力（Reference  Signal  Received  Power，ＲＳＲＰ）が前もってセットされたＲＳＲＰよりも小さいと第１ネットワークデバイスが決定する場合に、あるいは、端末によって報告されるチャネル品質インジケータ（Channel  Quality  Indicator，ＣＱＩ）が前もってセットされたＣＱＩよりも小さいと第１ネットワークデバイスが決定する場合に、端末のダウンリンク信号強度は第１閾値に満たないと決定される。
【００５６】
他の例として、端末のアップリンクＲＳＲＰが前もってセットされたＲＳＲＰよりも小さいと第１ネットワークデバイスが決定する場合に、あるいは、端末のアップリンク信号対干渉及び雑音比（Signal  to  Interference  plus  Noise  Ratio，ＳＩＮＲ）が前もってセットされたＳＩＮＲよりも小さいと第１ネットワークデバイスが決定する場合に、端末のアップリンク信号強度は第２閾値に満たないと決定する。
【００５７】
単一の端末がダウンリンク協調及びアップリンク協調の両方を要求する場合があることが留意されるべきである。第１閾値及び第２閾値は、実際の状況に基づき決定されてよい。詳細は、ここでは記載されない。
【００５８】
最後に、第１ネットワークデバイスは、ネットワークデバイスによってカバーされるセル及び協調セルを使用することによって第２端末へダウンリンク信号を連帯的に送信するとともに、ネットワークデバイスによってカバーされるセル及び協調セルを使用することによって、第３端末によって送られたアップリンク信号を連帯的に受信し得る。
【００５９】
例えば、図６は、本願の実施形態に従う協調セルの概略図である。図６では、ネットワークデバイス６０２のセル６０５が、ネットワークデバイス６０１のセル６０４及びネットワークデバイス６０３のセル６０６の両方の協調セルである。セル６０４にある端末６０７及びセル６０６にある端末６０８は同時に、ダウンリンク協調及びアップリンク協調の両方を要求する。セル６０４及びセル６０５は、端末６０７のアップリンク信号を連帯的に受信することができ、セル６０４及びセル６０５は、同時に同じダウンリンク信号を端末６０７へ送信することができる。上記の方法は、端末６０８によっても使用されてよい。これは、ここで記載されない。
【００６０】
ミクロ基地局のセルが無効にされた後に、ミクロ基地局のそのセルに対応するホットスポットエリア識別は、マクロ基地局の支援を必要とし、Ｒ１２プロトコルは、スモールセルディスカバリに関するプロトコルを定義する。しかし、Ｒ１２に対応する端末は少数であり、Ｒ１２は、依然として短期間に適用されることが困難である。本願のこの実施形態において、セルを無効にした後、ネットワークデバイスは、端末の測定されたアップリンク信号強度に基づきホットスポットエリアを識別するために、無効にされたセル内の端末のアップリンク信号を測定し続けてよい。
【００６１】
協調セル内のＮ個の端末を測定した後に、第２ネットワークデバイスは、Ｎ個のＲＳＲＰ値を取得し、Ｎ個のＲＳＲＰ値を第１ネットワークデバイスへ送る。ここで、Ｎは、０よりも大きい。第２ネットワークデバイスによって送られたＮ個のＲＳＲＰ値を受け取った後に、ＲＳＲＰ閾値よりも大きいＭ個のＲＳＲＰ値がＮ個のＲＳＲＰ値に含まれると第１ネットワークデバイスが決定する場合には、第１ネットワークデバイスは、指示情報を第２ネットワークデバイスへ送る。このとき、指示情報は、協調セルを有効にするように第２ネットワークデバイスに指示するために使用され、Ｍは、Ｎ以下であり且つ０よりも大きい。
【００６２】
上記の方法によれば、ＲＳＲＰ閾値よりも大きいＭ個のＲＳＲＰ値がＮ個のＲＳＲＰ値に含まれると決定した後に、第１ネットワークデバイスは、協調セルを有効にし直すように第２ネットワークデバイスに指示するために、協調セルをホットスポットエリアとして決定してよく、それによって、セルの最適な配置が実装される。
【００６３】
本願のこの実施形態では、協調セルと同じサイト、同じ周波数帯域、及び同じカバレッジを有する異周波数セルに測定情報を提供するために、同一周波数隣接セルにある端末のアップリンク信号強度が、協調セルを使用することによって更に測定されてよく、それによって、端末が異周波数隣接セル測定を実行するときに引き起こされるギャップ（GAP）オーバヘッドは、回避される。端末は、異周波数隣接セル測定を実行するためにアップリンク及びダウンリンクサービスを周期的に中断する必要があり、アップリンク及びダウンリンクサービスの一時中断が引き起こされ、より大きいサービス遅延が生じるので、ギャップオーバヘッドは引き起こされる。
【００６４】
第１ネットワークデバイスは、最初に、第４端末の経路損失差を決定してよく、このとき、経路損失差は、第３セルから協調セルへの第４端末の経路損失差であり、第３セルは、第４端末が第１ネットワークデバイスにアクセスするセルである。
【００６５】
任意に、経路損失差は、次の式：
ＤｅｌｔａＰＬ＝（Ｒ１−Ｇ１）−（Ｒ２−Ｇ２）          （１）
を満たす。
【００６６】
ここで、ＤｅｌｔａＰＬは、経路損失差であり、Ｒ１は、第４端末から第３セルによって受信される信号の強さ、すなわち、第４端末が第３セルにおいてアップリンク信号を送信するときに使用されるアップリンク伝送電力であり、Ｒ２は、第４端末から協調セルによって受信される信号の強さ、すなわち、第４端末が協調セルにおいてアップリンク信号を送信するときに使用されるアップリンク伝送電力であり、Ｇ１は、第３セルのアンテナ利得であり、Ｇ２は、協調セルのアンテナ利得である。
【００６７】
次いで、第１ネットワークデバイスは、経路損失差に基づき、第４端末によって受信される第１セルのダウンリンク信号強度を決定する、すなわち、第４端末によって受信される第１セルのダウンリンク信号受信電力を決定する。任意に、第４端末によって受信され、第１ネットワークデバイスによって決定される第１セルのダウンリンク信号強度は、次の式：
ＤＬＲｓｒｐ３
＝（ＤＬＲｓｒｐ１−Ｇ１）−ＤｅｌｔａＰＬ＋Ｇ３＋Ｐ３−Ｐ１    （２）
を満たす。
【００６８】
ＤＬＲｓｒｐ３は、第４端末によって受信される第１セルのダウンリンク信号強度であり、ＤＬＲｓｒｐ１は、第３セルのダウンリンク信号強度であり、Ｐ１は、第３セルのパイロット伝送電力であり、Ｐ３は、第１セルのパイロット伝送電力であり、Ｇ３は、第３セルのアンテナ利得である。
【００６９】
同じ周波数帯域にあるセルは、通常は、同じアンテナ利得を有し、すなわち、Ｇ３＝Ｇ２であり、この場合に、式（２）は：
ＤＬＲｓｒｐ３＝ＤＬＲｓｒｐ１＋Ｒ２−Ｒ１＋Ｐ３−Ｐ１      （３）
と簡単にされ得る。
【００７０】
最後に、第４端末によって受信される第１セルのダウンリンク信号強度が信号強度閾値よりも大きいと第１ネットワークデバイスが決定する場合に、第１ネットワークデバイスは、第４端末が第１セルへハンドオーバされる必要があると決定する。
【００７１】
第４端末が第１セルへハンドオーバされる必要があると決定した後に、第１ネットワークデバイスは、第１セルへハンドオーバされるように第４端末に指示してよく、それにより、第４端末はより高い利得を得、それによって、第４端末の通信品質は改善される。
【００７２】
上記の方法によれば、第１ネットワークデバイスは、協調セルを有効にするように第２ネットワークデバイスに指示すべきかどうかを決定するために、協調セル内の端末を測定し、それによって、第２ネットワークデバイスによってカバーされるセル内の端末によって協調セルに対して行われる頻繁な異周波数隣接セル測定によって引き起こされるギャップオーバヘッドを回避し、モビリティを向上させる。
【００７３】
図７は、本願の実施形態に従うネットワークデバイス７００の略構造図である。ネットワークデバイスは、図３に示されるプロシージャにおけるステップ３０１及びステップ３０２を実行し得る。
【００７４】
図７を参照すると、ネットワークデバイス７００は、プロセッサ７０１、トランシーバ７０２、電源７０３、及びメモリ７０４を含む。
【００７５】
プロセッサ７０１は、ネットワークデバイスが第２ネットワークデバイスに隣接する場合に、第２ネットワークデバイスによってカバーされる複数のセルの中で動作不能状態にあるセルを決定するよう構成される。
【００７６】
プロセッサ７０１は、動作不能状態にあるセルを協調セルとして決定するよう構成される。
【００７７】
ネットワークデバイス７００は、電力を各部に供給する電源７０３を更に含んでもよい。任意に、電源７０３は、電力管理システムを使用することによって充電及び放電管理並びに電力消費管理などの機能を実装するように、電力管理システムを使用することによってプロセッサ７０１へ論理的に接続されてよい。
【００７８】
ネットワークデバイス７００はメモリ７０４を更に含んでもよく、メモリ７０４は、ソフトウェアプログラム及びモジュールを記憶するよう構成されてよく、プロセッサ７０１は、メモリ７０４に記憶されているソフトウェアプログラム及びモジュールを実行して、装置の様々な機能アプリケーション及びデータ処理を行う。
【００７９】
任意に、プロセッサ７０１は、
第１端末によって送られた測定リポートに基づき、第２ネットワークデバイスによってカバーされる複数のセルから第１セルを決定し、ここで、測定リポートは、第２ネットワークデバイスによってカバーされる複数のセルの中で使用可能状態にあるセルを示し、第１セルは、使用可能状態にあるセルであり、
第２ネットワークデバイスによってカバーされる複数のセルに含まれ、第１セルと同じ周波数帯域にある第２セルが使用可能状態にないと、測定リポートに基づき決定される場合には、第２セルを動作不能状態にあるセルとして決定する
よう構成される。
【００８０】
任意に、プロセッサ７０１は、
第２ネットワークデバイスによってカバーされる各セルのステータスを含む隣接関係テーブルに基づき、第２ネットワークデバイスによってカバーされる複数のセルの中で動作不能状態にあるセルを決定するよう構成される。
【００８１】
任意に、ネットワークデバイス７００はトランシーバ７０２を更に含み、
プロセッサ７０１は、ダウンリンク協調を要求する第２端末と、アップリンク協調を要求する第３端末とを決定するよう更に構成され、ここで、第２端末は、第１閾値に満たないダウンリンク信号強度の端末であり、第３端末は、第２閾値に満たないアップリンク信号強度の端末であり、
トランシーバ７０２は、ネットワークデバイスによってカバーされるセル及び協調セルを使用することによって第２端末へダウンリンク信号を連帯的に送信し、
ネットワークデバイスによってカバーされるセル及び協調セルを使用することによって、第３端末によって送られたアップリンク信号を連帯的に受信する
よう構成される。
【００８２】
任意に、ネットワークデバイス７００はトランシーバ７０２を更に含み、
トランシーバ７０２は、第２ネットワークデバイスによって送られたＮ個の基準信号受信電力（ＲＳＲＰ）値を受信するよう構成され、ここで、Ｎ個のＲＳＲＰ値は、第２ネットワークデバイスが協調セル内のＮ個の端末を測定した後に取得され、Ｎは０よりも大きく、
プロセッサ７０１は、Ｎ個のＲＳＲＰ値がＲＳＲＰ閾値よりも大きいＭ個のＲＳＲＰ値を含むと決定される場合に、トランシーバを使用することによって第２ネットワークデバイスへ指示情報を送るよう構成され、ここで、指示情報は、協調セルを有効にするように第２ネットワークデバイスに指示するために使用され、ＭはＮ以下であり、Ｍは０よりも大きい。
【００８３】
任意に、プロセッサ７０１は、
第４端末の経路損失差を決定し、ここで、経路損失差は、第３セルから協調セルへの第４端末の経路損失差であり、第３セルは、第４端末がネットワークデバイスにアクセスするセルであり、
経路損失差に基づき、第４端末によって受信される第１セルのダウンリンク信号強度を決定し、
第４端末によって受信される第１セルのダウンリンク信号強度が信号強度閾値よりも大きいと決定される場合に、第４端末が第１セルへハンドオーバされる必要があると決定する
よう更に構成される。
【００８４】
本願のこの実施形態において、プロセッサ７０１は、処理ユニットによって実装されてよく、トランシーバ７０２は、トランシーバユニットによって実装されてよい。図８に示されるように、ネットワークデバイス８００は、処理ユニット８０１及びトランシーバユニット８０２を含んでよい。処理ユニット８０１は、図７のプロセッサ７０１によって実行されたプロシージャを実行してよく、トランシーバユニット８０２は、図７のトランシーバ７０２によって実行されたプロシージャを実行してよい。上記のユニットの分割は、単に、論理的な機能分割であることが理解されるべきである。実際の実施では、ユニットの全て又は一部は、物理エンティティに一体化されても、あるいは、物理的に別々であってもよい。
【００８５】
本願の方法実施形態の関連部分は、相互に参照されてよい。装置実施形態で提供される装置は、対応する方法実施形態で提供される方法を実行するよう構成される。従って、装置実施形態については、理解のために、関連する方法実施形態の関連部分を参照されたい。
【００８６】
当業者は、上記のいずれかの実施形態で特定される方法のステップの全て又は一部が、関連するハードウェアに指示するプログラムによって実装されてもよいと理解すべきである。プログラムは、フラッシュメモリ又はＥＥＰＲＯなどの、デバイス内の読み出し可能な記憶媒体に格納されてよい。プログラムが実行されるときに、プログラムは、上記のステップの全て又は一部を実行する。
【００８７】
上記の具体的な実施において、本願の目的、技術的解決法、及び利点は、詳細に更に記載される。異なる実施形態が組み合わされ得ることが理解されるべきである。上記の記載は、本願の具体的な実施にすぎず、本願の保護範囲を限定する意図はない。本願の精神及び原理から外れることなく行われる如何なる組み合わせ、変更、等価な置換、又は改善も、本願の保護範囲内にあるべきである。
【図１】
0006872634.tif 000002
【図２】
0006872634.tif 000003
【図３】
0006872634.tif 000004
【図４】
0006872634.tif 000005
【図５】
0006872634.tif 000006
【図６】
0006872634.tif 000007
【図７】
0006872634.tif 000008
【図８】
0006872634.tif 000009